(57)【要約】 【課題】電気所のシステム構築コストの低減化する。【解決手段】複数の遮断器で区分された一の電気所内における複数の保護区間を保護するためのデジタル保護リレーシステムにおいて、前記複数の保護区間のうち少なくともいずれかの保護区間における給電状態の異常の有無を検出し、当該異常が検出された保護区間に対応する前記遮断器を開操作するためのトリップ指令を出力する制御盤と、前記制御盤より出力されたトリップ指令に基づいて、前記複数の遮断器のうち当該トリップ指令に対応する前記遮断器の開閉操作を行う操作盤と、を有する。【選択図】図２
2008079484.tif 000002
【特許請求の範囲】
【請求項１】
複数の遮断器で区分された一の電気所内における複数の保護区間を保護するためのデジタル保護リレーシステムにおいて、
前記複数の保護区間のうち少なくともいずれかの保護区間における給電状態の異常の有無を検出し、当該異常が検出された保護区間に対応する前記遮断器を開操作するためのトリップ指令を出力する制御盤と、
前記制御盤より出力されたトリップ指令に基づいて、前記複数の遮断器のうち当該トリップ指令に対応する前記遮断器の開閉操作を行う操作盤と、
を有することを特徴とするデジタル保護リレーシステム。
【請求項２】
前記制御盤は、前記複数の保護区間全てにおける給電状態の異常の有無を検出し、
前記操作盤は、前記複数の保護区間に対応した前記複数の遮断器全ての開閉操作を行うこと、
を特徴とする請求項１に記載のデジタル保護リレーシステム。
【請求項３】
前記制御盤は、前記異常の有無の検出に関して、複数の異なる保護リレー方式を採用したこと、を特徴とする請求項１に記載のデジタル保護リレーシステム。
【請求項４】
前記制御盤を、パーソナルコンピュータで構成したこと、を特徴とする請求項１に記載のデジタル保護リレーシステム。
【請求項５】
複数の遮断器で区分された一の電気所内における複数の保護区間を保護するためのデジタル保護リレー盤において、
前記複数の保護区間のうち少なくともいずれかの保護区間における給電状態の異常の有無を検出し、当該異常が検出された保護区間に対応する前記遮断器を開操作するためのトリップ指令を出力する制御部と、
前記制御部より出力されたトリップ指令に基づいて、前記複数の遮断器のうち当該トリップ指令に対応する前記遮断器の開閉操作を行う操作部と、
を有することを特徴とするデジタル保護リレー盤。
【請求項６】
前記制御部は、前記複数の保護区間全てにおける給電状態の異常の有無を検出し、
前記操作部は、前記複数の保護区間に対応した前記複数の遮断器全ての開閉操作を行うこと、
を特徴とする請求項５に記載のデジタル保護リレー盤。
【請求項７】
前記制御部は、前記異常の有無の検出に関して、複数の異なる保護リレー方式を採用したこと、を特徴とする請求項５に記載のデジタル保護リレー盤。
【請求項８】
前記制御部を、パーソナルコンピュータで構成したこと、を特徴とする請求項５に記載のデジタル保護リレー盤。
【発明の詳細な説明】
【技術分野】
【０００１】
本発明は、デジタル保護リレーシステム、デジタル保護リレー盤に関する。
【背景技術】
【０００２】
電力系統の保護リレーは、事故の高速除去や波及事故の防止を主たる目的としており、近年の高度情報化社会において電気エネルギーの依存度が高まるにつれて、電力の安定供給を支えるための保護リレーに課せられる要求は、ますます高度化している。このため、従来のアナログ保護リレーの置き換えとして、高性能化・高機能化されたデジタル保護リレーの導入が盛んである。
【０００３】
また、保護リレーの構成として、高速動作や信頼性向上等の要求より、電力系統の回線毎に、さらには、保護リレー方式毎に、電気所（発電所、変電所、配電所等）内に分散配置されている場合が専らである。なお、前述した電力系統の回線とは、所定の母線から分岐させた並行送電線毎を意味するだけではなく、遮断器や開閉器等によって送電線を区分させた保護区間全てを意味することとする。また、保護リレー方式としては、事故後直ちに動作する主保護と、主保護動作不良時に若干遅れて同一の保護区間若しくはより広範囲に渡って動作する後備保護と、に大分類される。
【０００４】
図８は、従来の一の電気所における保護リレーのシステム構成を示す図である（例えば、以下に示す特許文献１を参照）。
【０００５】
当該電気所の母線に対して、並行２回線となる送電線Ａ、Ｂが遮断器５０５ａ、５０５ｂを介して電気的に接続されている場合とする。また、当該母線に対して、配電線系統が変圧器５２０、遮断器５２５ａ〜５２５ｅを介して電気的に接続されるとともに、送電線系統が変圧器５３０、遮断器５３５ａ〜５３５ｃを介して電気的に接続される場合とする。
【０００６】
ここで、送電線Ａ、Ｂは、並行２回線であるため、例えば、「回線選択リレー方式」を主保護として採用した保護リレー盤６１０が設けられる。なお、保護リレー盤６１０に組み込まれる制御部６１１並びに操作部６１２は、事故の高速除去の要請によって、通信線を介して物理的に個別の盤に分離させず、図８に示すように、同一の盤内に組み込まれる場合が専らである。
【０００７】
保護リレー盤６１０は、送電線Ａ、Ｂに毎対応する電流変成器５０９ａ、５０９ｂが交差接続された方向リレーに流れる電流Ｉｃが供給される。そして、保護リレー盤６１０は、ＣＰＵ等の制御部６１１によって、前述した方向リレーから供給された電流Ｉｃの流れる方向に基づいて、送電線Ａ、Ｂのいずれか一方の事故発生の有無を検出する。
【０００８】
保護リレー盤６１０は、制御部６１１によって事故有りと検出した場合に、操作部６１２によって、事故の生じた送電線Ａ、Ｂのいずれか一方に接続された遮断器５０５ａ、５０５ｂのいずれか一方をトリップさせる。なお、事故の発生した一方の送電線の遮断に伴って、健全な他方の送電線についても引き続き遮断される恐れがあるので、操作部６１２にはインターロック回路が設けられる。
【０００９】
一方，送電線Ａの後備保護として、「距離継電方式」を採用した保護リレー盤６００ａが設けられている。
【００１０】
保護リレー盤６００ａは、送電線Ａ上に設けられた電流変成器５０７ａにおいて検出される検出電流Ｉｄ１と、母線に接続された電圧変成器５０８において検出される検出電圧Ｖｄとが、供給される。そして、保護リレー盤６００ａは、制御部６０１ａによって、検出電流Ｉｄ１及び検出電圧Ｖｄに基づいて過電流や過電圧等を検出し、ひいては、送電線Ａの給電状態に異常が発生しているか否かを識別する。
【００１１】
保護リレー盤６００ａは、送電線Ａの給電状態に異常が発生している場合には、操作部６０２ａによって遮断器５０５ａをトリップさせる。なお、制御部６０１ａは、一般的にはＣＰＵで実現され、操作部６０２ａは、電磁リレー器や引き外しコイル等を組み合わせたトリップシーケンス回路によって実現される。
【００１２】
なお、送電線Ｂに対する後備保護としても、送電線Ａ向けの保護リレー盤６００ａと同様の保護リレー盤６００ｂが設けられる。
【特許文献１】特開平５−１４６０５２号公報
【発明の開示】
【発明が解決しようとする課題】
【００１３】
図８に示したように、一の電気所内の保護リレー盤としては、回線毎に、保護リレー方式毎に、当該電気所内に分散配置される場合が多い。即ち、回線毎に保護リレー盤を設けることで、回線毎に独立した保護・制御を実施することができ、その分、電力系統の信頼性を向上することができる。また、保護リレー方式毎に保護リレー盤を設けることで保守性を向上できる。
【００１４】
しかしながら、回線毎や保護リレー方式毎に分散配置をした場合、保護リレー盤のトータル盤面数の増大化が避けられない。また、保護リレー方式を２系列構成や４系列構成とする場合が多くなっており、この場合において、系列毎に保護リレー盤を設けることになるので、トータル盤面数の増大化の問題が顕在化する。即ち、電力の安定供給の目的達成を図りつつも、電気所のシステム構築コストの低減化を図っていく際に、保護リレー盤のトータル盤面数の増大の問題が阻害要因となっていた。
【課題を解決するための手段】
【００１５】
前述した課題を解決する主たる本発明は、複数の遮断器で区分された一の電気所内における複数の保護区間を保護するためのデジタル保護リレーシステムにおいて、前記複数の保護区間のうち少なくともいずれかの保護区間における給電状態の異常の有無を検出し、当該異常が検出された保護区間に対応する前記遮断器を開操作するためのトリップ指令を出力する制御盤と、前記制御盤より出力されたトリップ指令に基づいて、前記複数の遮断器のうち当該トリップ指令に対応する前記遮断器の開閉操作を行う操作盤と、を有することとする。
【発明の効果】
【００１６】
本発明によれば、電気所のシステム構築コストの低減化に寄与することが可能なデジタル保護リレーシステム、デジタル保護リレー盤を提供することができる。
【発明を実施するための最良の形態】
【００１７】
＜保護対象とする電気所のシステム構成＞
図１は、本発明に係るデジタル保護リレーシステムの対象とする一の電気所（発電所、変電所、配電所等）の構成を示す図である。なお、図１に示す電気所は、変電所を想定しているが、その他、発電所、配電所や、近年注目されている分散型電源を配置した需要家宅であってもよい。
【００１８】
当該電気所の母線に対して、上流側の並行２回線となる送電線Ａ、Ｂが遮断器２２ａ、２２ｂを介して電気的に接続されている場合とする。また、当該母線に対して、下流側の配電線系統が変圧器３０、遮断器３５ａ〜３５ｅを介して電気的に接続されるとともに、送電線系統が変圧器４０、遮断器４５ａ〜４５ｃを介して電気的に接続される場合とする。
【００１９】
ここで、送電線Ａ、Ｂは、並行２回線であるため、例えば、「回線選択リレー方式」を送電線Ａ、Ｂの主保護用として採用することができる。なお、回線選択リレー方式とは、並行送電線区間に関して、他の健全区間とは無関係に事故区間を速やかに選択遮断する方式のことをいい、電流変成器を交差接続した方向リレーが主に採用される。そこで、本実施形態では、送電線Ａ、Ｂに毎対応する電流変成器２７ａ、２７ｂを交差接続した方向リレーが設けられ、当該方向リレーに流れる電流Ｉｃ（電気量）が検出される。
【００２０】
また、送電線Ａに対する後備保護用として、送電線Ａ上に設けられた電流変成器２５ａにおいて電流Ｉａ１（電気量）が検出され、母線に接続された電圧変成器２６において電圧Ｖａ１（電気量）が検出される。同様に、送電線Ｂに対する後備保護用として、送電線Ｂ上に設けられた電流変成器２５ｂにおいて電流Ｉｂ１（電気量）が検出され、母線に接続された電圧変成器２６において電圧Ｖｂ１（電気量）が検出される。
【００２１】
このような後備保護用としては、「距離リレー方式」を採用できる。距離リレー方式とは、送電線故障時にリレー設置点の電圧とその送電線電流に基づいて、故障点までの電気的距離を検出することが可能な方式のことである。距離リレー方式は、一般的に、主保護の回線選択リレー方式のバックアップ用途として、前述した回線選択リレー方式との組み合わせで採用される。
【００２２】
＜デジタル保護リレーシステムの構成＞
＝＝＝第一実施形態＝＝＝
図２は、本発明の第一実施形態に係るデジタル保護リレーシステムの構成を示す図である。なお、図２に示すデジタル保護リレーシステムは、操作盤１００、２系列の共通制御盤２００ａ、２００ｂで主に構成される。
【００２３】
＜＜操作盤＞＞
操作盤１００は、Ａ系操作ユニット１１０、Ａ・Ｂ系操作ユニット１２０、Ｂ系操作ユニット１３０を有する。
【００２４】
Ａ系操作ユニット１１０は、送電線Ａに対する後備保護として、遮断器２２ａを開閉操作するためのユニットであり、ＤＩＯ基板１１１が設けられている。ＤＩＯ基板１１１は、遮断器２２ａの開閉を示すＤＩ（Digital Input）情報が入力されるとともに、共通制御盤２００ａ、２００ｂによって送電線Ａの給電状況の異常が検出された際に、遮断器２２ａを開操作するためのトリップ指令ａがＤＯ（Digital Output）情報として出力されるデジタル入出力インタフェース基板である。
【００２５】
Ａ・Ｂ系操作ユニット１２０は、送電線Ａ、Ｂに対する主保護として、遮断器２２ａ、２２ｂを開閉操作するためのユニットである。詳述すると、Ａ・Ｂ系操作ユニット１２０は、共通制御盤２００ａ、２００ｂによって事故区間として選択された方に設けられる遮断器２２ａ又は遮断器２２ｂの一方をトリップさせるとともに他方をインターロックさせるものであり、ＤＩＯ基板１２１が設けられている。ＤＩＯ基板１２１は、遮断器２２ａ及び遮断器２２ｂの開閉を示すＤＩ情報が入力されるとともに、遮断器２２ａを開操作するためのトリップ指令ａ又は遮断器２２ｂを開操作するためのトリップ指令ｂがＤＯ情報として出力されるデジタル入出力インタフェース基板である。なお、ＤＩＯ基板１２１以外にインターロック回路（不図示）が設けられる。
【００２６】
Ｂ系操作ユニット１３０は、送電線Ｂに対する後備保護として、遮断器２２ｂを開閉操作するためのユニットであり、ＤＩＯ基板１３１が設けられている。ＤＩＯ基板１２１は、遮断器２２ｂの開閉を示すＤＩ情報が入力されるとともに、共通制御盤２００ａ、２００ｂによって送電線Ｂの給電状況の異常が検出された際に、遮断器２２ｂを開操作するためのトリップ指令ｂがＤＯ情報として出力されるデジタル入出力インタフェース基板である。
【００２７】
図３は、操作盤１００の盤構成を示す図である。なお、図３（ａ）は前面扉１０２を閉じた状態の操作盤１００の正面図であり、図３（ｂ）は前面扉１０２を開いた状態の操作盤１００の正面図であり、図３（ｃ）は操作盤１００の側面図である。
【００２８】
図３（ａ）に示すように、前面扉１０２には、操作盤１００の主電源の開閉をするための電源スイッチ（８Ｒ）１８０と、保守作業等のためにＡ系操作ユニット１１０、Ａ・Ｂ系操作ユニット１２０及びＢ系操作ユニット１３０毎の外部接続を遮断するための手動スイッチ１９０、１９１、１９２が備え付けられている。
【００２９】
また、図３（ｂ）、（ｃ）に示すように、前面扉１０２を開いた状態で、操作盤１００内は、操作部収納スペース１０１が設けられており、ＤＩＯ基板１１１、１２１、１３１が収納される。なお、操作部収納スペース１０１には、ＤＩＯ基板１１１、１２１、１３１に電源を供給するための電源ユニット１４０等が併せて収納される。さらに、外部機器との結線を行うための端子台１７０が設けられている。このように、操作盤１００は、Ａ系操作ユニット１１０、Ａ・Ｂ系操作ユニット１２０、Ｂ系操作ユニット１３０を、同一の盤内に一体化して組み込んだものである。
【００３０】
＜＜共通制御盤＞＞
図２に示すように、共通制御盤２００ａは、入力変換器２１０ａ、ＡＩ基板２２０ａ、ＣＰＵ基板２３０ａを有する。同様に、共通制御盤２００ｂは、入力変換器２１０ｂ、ＡＩ基板２２０ｂ、ＣＰＵ基板２３０ｂを有する。共通制御盤２００ａ、２００ｂは、信頼性向上のため２系列化しており、例えば、共通制御盤２００ａ、２００ｂのいずれか一方のみで制御を行いつつ、各ＣＰＵ基板２３０ａ、２３０ｂに標準装備されるいわゆる自己診断機能によって、その一方の制御盤がＨ／Ｗ障害又はＳ／Ｗ障害が発生したことを検出した場合に、他方の制御盤の制御に切り替えるといった運用となる。  
以下では、図４をもとに、共通制御盤２００ａ、２００ｂの構成についてのみ説明する。
【００３１】
入力変換器２１０は、電流変成器２５ａ、２５ｂ及び電流変成器２７ａ、２７ｂによる方向リレーにおいて検出された電流（Ｉａ１、Ｉｂ１、Ｉｃ）と、電圧変成器２６において検出された電圧（Ｖｄ）とが入力され、毎の電気量を補助変圧器２１１によって以降の処理に適したレベルに変換する。
【００３２】
ＡＩ基板２２０は、入力変換器２１０の各補助変圧器２１１で適切なレベルに変換された電流（Ｉａ１、Ｉｂ１、Ｉｃ）と電圧（Ｖｄ）がＡＩ（Analog Input）情報として入力される。  
フィルタ２２１は、入力変換器２１０から入力されたＡＩ情報からノイズを除去する。
【００３３】
サンプルホールド回路２２２は、フィルタ２２１によってノイズ除去後のＡＩ情報を、所定のサンプリング間隔ごとにサンプリングし、マルチプレクサ２２３へと入力する。
【００３４】
マルチプレクサ２２３は、各サンプルホールド回路２２２から入力されるＡＩ情報のサンプリング値を順次選択し、Ａ／Ｄ変換器２２４へと供給する。  
Ａ／Ｄ変換器２２４は、順次選択されたアナログ量のサンプリング値をデジタル値へ変換して当該デジタル値をバッファ２２５へと格納させる。
【００３５】
ＣＰＵ基板２３０は、内部バス２３８を介して、ＭＰＵ２３１、ＲＡＭ２３２、ＲＯＭ２３３が相互通信可能となるように接続される。  
ＭＰＵ２３１は、ＣＰＵ基板２３０さらには共通制御盤２００全体の制御を司るプロセッサである。なお、ＭＰＵ２３１以外にも、デジタル処理に適したＤＳＰを採用してもよい。
【００３６】
ＲＡＭ２３２は、書き換え可能なメモリであり、ＡＩ基板２２０のバッファ２２５に格納されたデジタル値を蓄積する作業用メモリとして用いられる。  
ＲＯＭ２３３は、書き換え不可能な読み出し専用のメモリであり、ＭＰＵ２３１に対して、各種保護リレー形式に対応したリレー演算処理や、リレー全体の流れを統括するシーケンス演算処理を行わせるためのプログラムが格納される。
【００３７】
なお、図４に示すＲＯＭ２３３は、リレー演算処理用のプログラムとして、不足電圧リレー（ＵＶ（Under Voltage Relay））２３４、過電圧リレー（ＯＶ（Over Voltage Relay ））２３５、過電流リレー（ＯＣ（Over Current Relay））２３６、地絡方向リレー（ＤＧ（Directional Ground Relay））２３７を格納している場合を示しているが、その他、距離リレーや短絡リレー等の既存の保護リレー方式のプログラムを全て格納しているものとする。
【００３８】
＜＜リレー演算処理の具体例＞＞
以下、ＣＰＵ基板２３０におけるリレー演算処理の具体例を説明する。  
例えば、ＲＡＭ２３２において、電流変成器２５ａで検出された電流Ｉａ１のデジタル値及び電圧変成器２６で検出された電圧Ｖｄのデジタル値が格納された場合とする。この場合、ＭＰＵ２３１は、ＲＯＭ２３３から不足電圧リレー２３４、過電圧リレー２３５及び過電流リレー２３６を読み出して、各プログラムを実行する。ＭＰＵ２３１は、ＲＡＭ２３２に格納された各デジタル値に基づいて、不足電圧リレー２３４、過電圧リレー２３５及び過電流リレー２３６のＡＮＤ条件（電圧不足、過電圧及び過電流が全て成立する場合）によって、送電線Ａの給電状態に異常が発生しているか否かを判定する。ここで、ＭＰＵ２３１は、送電線Ａの給電状態に異常が発生している旨を判定した場合には、Ａ系操作ユニット１１０のＤＩＯ基板１１１に対して遮断器２２ａをトリップさせるトリップ指令ａを出力する。
【００３９】
また、例えば、ＲＡＭ２３２において、電流変成器２５ｂで検出された電流Ｉｂ１のデジタル値及び電圧変成器２６で検出された電圧Ｖｄのデジタル値が格納された場合とする。この場合、ＭＰＵ２３１は、前述した送電線Ａの保護の場合と同様に、ＲＯＭ２３３から不足電圧リレー２３４、過電圧リレー２３５及び過電流リレー２３６を読み出して、各プログラムを実行する。ＭＰＵ２３１は、ＲＡＭ２３２に格納された各デジタル値に基づいて、不足電圧リレー２３４、過電圧リレー２３５及び過電流リレー２３６のＡＮＤ条件によって、送電線Ｂの給電状態に異常が発生しているか否かを判定する。ここで、ＭＰＵ２３１は、送電線Ｂの給電状態に異常が発生している旨を判定した場合には、Ｂ系操作ユニット１１０のＤＩＯ基板１２１に対して遮断器２２ｂをトリップさせるトリップ指令ｂを出力する。
【００４０】
さらに、例えば、ＲＡＭ２３２において、電流変成器２７ａ、２７ｂによって構成される方向リレーに流れる電流Ｉｃのデジタル値が格納された場合とする。この場合、ＭＰＵ２３１は、ＲＯＭ２３３から地絡方向リレー２３７を読み出して、当該プログラムを実行する。
【００４１】
ＭＰＵ２３１は、方向リレーに流れる電流Ｉｃの方向に基づいて、送電線Ａ、Ｂのいずれか一方の給電状態の異常（この場合、地絡事故の発生）の有無を検出する。ここで、ＭＰＵ２３１は、給電状態の異常が発生している送電線Ａ、Ｂのいずれか一方と接続された遮断器２２ａ、２２ｂのいずれか一方をトリップさせる。なお、ＭＰＵ２３１は、地絡方向リレー２３７による異常の誤検出を防止するために、不足電圧リレー２３４、過電圧リレー２３５又は過電流リレー２３６の少なくともいずれかと地絡方向リレー２３７とのＡＮＤ条件を採用するのが好ましい。
【００４２】
このように、本発明の第一実施形態では、従来の場合において、回線毎に、また、保護リレー方式毎に分散配置されていた複数の保護リレー盤（例えば、図８に示す６００ａ、６００ｂ、６１０）を、操作盤１００と、共通制御盤２００ａ、２００ｂの計３面の盤で構成することが可能となった。この結果、従来の場合と同等の保護リレーを実現しつつも、トータルのシステム構築コストの低減化に寄与することになる。さらに、複数の異なる保護リレー方式に対応できるので、汎用性に優れる。
【００４３】
なお、前述した第一実施形態の説明では、共通制御盤２００ａ、２００ｂを採用したが、共通制御盤２００ａ、２００ｂの代わりとして、汎用的なパーソナルコンピュータを採用してもよい。制御盤と同様の機能を持たせつつ、制御盤よりも安価であり且つ小型化を実現できるからである。
【００４４】
また、ＭＰＵ２３１は、サンプリング間隔ごとにサンプリングされるサンプリング値を用いるため、ＭＰＵ３２１での演算処理は当該サンプリング間隔内において終了させる必要がある。このため、ＭＰＵ３２１としては高速処理可能なプロセッサが要求されるが、近年のプロセッサの性能向上はめざましいものがあるので、汎用的なパーソナルコンピュータに搭載されるプロセッサの性能であっても十分に本発明の用途に対応できるからである。
【００４５】
＝＝＝第二実施形態＝＝＝
図５は、本発明の第二実施形態に係るデジタル保護リレー盤の構成を示す図である。  
デジタル保護リレー盤３００は、図２に示した操作盤１００に相当する操作部３１０と、同じく図２に示した２系列の共通制御盤２００ａ、２００ｂに相当する制御部３２０を盤一面構成として一体に組み込んだものである。なお、前述した第一実施形態と同様に、制御部３２０として、汎用的なパーソナルコンピュータを採用してもよい。
【００４６】
図６は、デジタル保護リレー盤３００の盤構成を示す図である。なお、図６（ａ）は前面扉３０５を閉じた状態のデジタル保護リレー盤３００の正面図であり、図６（ｂ）は前面扉３０５を開いた状態のデジタル保護リレー盤３００の正面図であり、図６（ｃ）はデジタル保護リレー盤３００の側面図である。
【００４７】
図３に示した第一実施形態の操作盤１００と相違する点は、図６（ｂ）、（ｃ）に示すように、デジタル保護リレー盤３００内に、操作部収納スペース３０１と、制御部収納スペース３０２が設けられている点である。そして、操作部収納スペース３０１にはＤＩＯ基板１１１、１２１、１３１や電源ユニット１４０等が収納され、制御部収納スペース３０２にはＣＰＵ基板２３０ａ、２３０ｂ、ＡＩ基板２２０ａ、２２０ｂ、電源ユニット１４０及び補助変圧器２１１等が収納される。
【００４８】
このように、本発明の第二実施形態では、従来の場合において、回線毎や保護リレー方式毎に分散配置されていた複数の保護リレー盤（例えば、図８に示す６００ａ、６００ｂ、６１０）を、１面のデジタル保護リレー盤３００のみで構成することが可能となる。この結果、従来の場合と同等の保護リレーを実現しつつも、トータルのシステム構築コストの低減化に寄与することになる。さらに、複数の異なる保護リレー方式に対応できるので、汎用性において優れる。
【００４９】
＝＝＝第三実施形態＝＝＝
図７は、本発明の第三実施形態に係るデジタル保護リレー盤の構成を示す図である。  
デジタル保護リレー盤４００ａは、図２に示した操作盤１００に相当する操作部４１０ａと、同じく図２に示した共通制御盤２００ａに相当する制御部４２０ａを盤一面構成として一体に組み込んでおり、複数の異なる保護リレー方式に対応した送電線Ａ向けの盤である。
【００５０】
デジタル保護リレー盤４００ｂは、図２に示した操作盤１００に相当する操作部４１０ｂと、同じく図２に示した共通制御盤２００ａに相当する制御部４２０ｂを盤一面構成として一体に組み込んだ、複数の異なる保護リレー方式に対応した送電線Ｂ向けの盤である。
【００５１】
デジタル保護リレー盤４００ａ、４００ｂの盤構成は、図６に示した第二実施形態のデジタル保護リレー盤３００の盤構成と同様であるので説明は省略する。
【００５２】
即ち、本発明の第三の実施形態は、図５、図６に示した第二実施形態のデジタル保護リレー盤３００と異なり、運用・保守等の容易化といった点を鑑みて、送電線Ａ、Ｂ毎にデジタル保護リレー盤４００ａ、４００ｂを独立して設置する場合である。尚、デジタル保護リレー盤４００ａ、４００ｂは、母線の主保護のために協調制御を行う場合とする。
【００５３】
本発明の第三実施形態であっても、従来の場合において、保護リレー方式毎に分散配置されていた複数の保護リレー盤（例えば、図８に示す６００ａ、６００ｂ、６１０）を、デジタル保護リレー盤４００ａ、４００ｂのように、回線毎に設置する必要はあるが保護リレー方式毎に設置しなくて済むようになる。
【００５４】
なお、前述した第一及び第二実施形態と同様に、デジタル保護リレー盤４００ａの制御部４２０ａやデジタル保護リレー盤４００ｂの制御部４２０ｂとしては、汎用的なパーソナルコンピュータを採用してもよい。
【００５５】
以上、本実施の形態について説明したが、前述した実施例は、本発明の理解を容易にするためのものであり、本発明を限定して解釈するためのものではない。本発明は、その趣旨を逸脱することなく、変更／改良され得るととともに、本発明にはその等価物も含まれる。
【図面の簡単な説明】
【００５６】
【図１】本発明に係るデジタル保護リレーシステムの対象とする電力系統の構成を示す図である。
【図２】本発明の第一実施形態に係るデジタル保護リレーシステムの構成を示す図である。
【図３】図３（ａ）は前面扉を閉じた状態の本発明の第一実施形態に係る操作盤の正面図であり、図３（ｂ）は前面扉を開いた状態の当該操作盤の正面図であり、図３（ｃ）は当該操作盤の側面図である。
【図４】本発明の第一実施形態に係る共通制御盤の構成を示す図である。
【図５】本発明の第二実施形態に係るデジタル保護リレー盤の構成を示す図である。
【図６】図６（ａ）は前面扉を閉じた状態の本発明の第二実施形態に係るデジタル保護リレー盤の正面図であり、図６（ｂ）は前面扉を開いた状態の当該デジタル保護リレー盤の正面図であり、図６（ｃ）は当該デジタル保護リレー盤の側面図である。
【図７】本発明の第三実施形態に係るデジタル保護リレー盤の構成を示す図である。
【図８】従来の一の電気所における保護リレーシステム構成を示す図である。
【符号の説明】
【００５７】
２２ａ、２２ｂ  遮断器                ２５ａ、２５ｂ  電流変成器
２７ａ、２７ｂ  電流変成器            ２６、５０８  電圧変成器
３０、４０  変圧器                    １００  操作盤
１０１  操作部収納スペース            １０２  前面扉
１１０  Ａ系操作ユニット              １２０  Ａ・Ｂ系操作ユニット
１３０  Ｂ系操作ユニット              １１１、１２１、１３１  ＤＩＯ基板
１４０  電源ユニット                  １７０  端子台
１８０  電源スイッチ                  １９０、１９１、１９２  手動スイッチ
２００ａ、２００ｂ  共通制御盤        ２１０、２１０ａ、２１０ｂ  入力変換器
２１１  補助変圧器                    ２２０、２２０ａ、２２０ｂ  ＡＩ基板
２２１  フィルタ                      ２２２  サンプルホールド回路
２２３  マルチプレクサ                ２２４  Ａ／Ｄ変換器
２２５  バッファ                      ２３０、２３０ａ、２３０ｂ  ＣＰＵ基板
２３１  ＭＰＵ                        ２３２  ＲＡＭ
２３３  ＲＯＭ                        ２３４  不足電圧リレー
２３５  過電圧リレー                  ２３６  過電流リレー
２３７  地絡方向リレー                ３００  デジタル保護リレー盤
３０１  操作部収納スペース            ３０２  制御部収納スペース
３０３  入力変換器収納スペース        ３０５  前面扉
３１０  操作部                        ３２０  制御部
４１０ａ、４１０ｂ  操作部            ４２０ａ、４２０ｂ  制御部
４００ａ、４００ｂ  デジタル保護リレー盤
５０５ａ、５０５ｂ  遮断器
５０７ａ、５０７ｂ  電流変成器
５０９ａ、５０９ｂ  電流変成器
５２０、５３０  変圧器
６００ａ、６００ｂ、６１０  保護リレー盤
６０２ａ、６０２ｂ、６１２  操作部
６０１ａ、６０１ｂ、６１１  制御部
【図１】
2008079484.tif 000003
【図２】
2008079484.tif 000004
【図３】
2008079484.tif 000005
【図４】
2008079484.tif 000006
【図５】
2008079484.tif 000007
【図６】
2008079484.tif 000008
【図７】
2008079484.tif 000009
【図８】
2008079484.tif 000010